(57)【要約】【課題】  墨で指先を汚す事なく、良好な墨付け作業が行える画期的な墨糸引き弾き具並びに墨壷を提供するものである。【解決手段】  握持部１の先端部に、墨糸２を掛脱自在に引っ掛けし得る引っ掛け部３を設け、この引っ掛け部３で墨糸２を引っ掛けて上方へ引っ張った後、墨糸２を引っ掛け部３より掛脱することで墨付け面20に墨線を付線し得るように構成されているものである。【選択図】      図１
2005088101.tif 000002
【特許請求の範囲】
【請求項１】
握持部の先端部に、墨糸を掛脱自在に引っ掛けし得る引っ掛け部を設け、この引っ掛け部で墨糸を引っ掛けて上方へ引っ張った後、墨糸を引っ掛け部より掛脱することで墨付け面に墨線を付線し得るように構成したことを特徴とする墨糸引き弾き具。
【請求項２】
前記引っ掛け部は、墨糸挿入用の開放部を形成してこの開放部から前記墨糸を挿入して引っ掛けし得るように構成し、この引っ掛け部に引っ掛けた墨糸を前記握持部の操作により掛脱し得るように構成したことを特徴とする請求項１記載の墨糸引き弾き具。
【請求項３】
前記引っ掛け部は、側方に墨糸挿入用の開放部を形成して、この開放部に側方から前記墨糸を挿入して引っ掛けし得るように構成し、この引っ掛け部に引っ掛けた墨糸は、前記握持部の傾動操作により引っ掛け部を回動して前記開放部を下方に向けることで掛脱し得るように構成したことを特徴とする請求項１，２のいずれか１項に記載の墨糸引き弾き具。
【請求項４】
前記引っ掛け部は、側方に墨糸挿入用の開放部を有するＣ状若しくはＵ状に構成したことを特徴とする請求項１〜３のいずれか１項に記載の墨糸引き弾き具。
【請求項５】
前記請求項１〜４のいずれか１項に記載の墨糸引き弾き具を着脱自在に設けたことを特徴とする墨壷。
【請求項６】
前記墨糸引き弾き具は薄板状に形成し、この薄板状の墨糸引き弾き具を墨壷本体に形成した固定用凹部に着脱自在に収納固定し得るように構成したことを特徴とする請求項５記載の墨壷。
【発明の詳細な説明】
【技術分野】
【０００１】
本発明は、大工や石工などが木材や石材などに墨線を引くために使用する墨壷に係わるものである。
【背景技術】
【０００２】
日本の大工が古来から使用している墨壷は、滑車に巻いたカルコ付きの墨糸を浅壷凹部に収納した墨綿に接触させて引き出し、カルコを素材に突き刺し、墨糸を一方の墨壷を押さえた手の指で押圧して緊張させ、この緊張させた墨糸の途中を反対の手の指先でつまんで持ち上げて、つまんだ指先からパチンと墨糸を弾いて墨線を付線している。
【０００３】
この古いタイプの墨壷に対し、特許文献１〜４に示すハンドタイプの新しい墨壷が提案され、手軽く使用できることと、引き出した墨糸を墨壷を押さえた手の指で押圧せずに済むことから多用されている。
【０００４】
【特許文献１】特公第２５３３４４７号公報
【特許文献２】特公第２５３３４４８号公報
【特許文献３】特公第２６２６９６７号公報
【特許文献４】特公第２７２７２８５号公報
【発明の開示】
【発明が解決しようとする課題】
【０００５】
しかしながら、墨線の付線方法、即ち墨付け作業は、このハンドタイプの墨壷にしても、古来より使用される墨壷と同様、緊張させた墨糸の途中を指先でつまんで持ち上げ、離すことで墨糸を弾き、木材や石材に墨付けするものであるため、墨糸をつまんだ指先が墨で汚れてしまい、しかも、墨を含んだ墨糸を指で取り扱うものであるから、付線を行うに十分な高さ位置まで引っ張り上げる前に、この墨糸をつまんだ指が滑って墨糸を離してしまう場合があるなどの問題点がある。
【０００６】
本発明は、墨で指先を汚す事なく、良好な墨付け作業が行える画期的な墨糸引き弾き具並びに墨壷を提供することを技術的課題とするものである。
【課題を解決するための手段】
【０００７】
添付図面を参照して本発明の要旨を説明する。
【０００８】
握持部１の先端部に、墨糸２を掛脱自在に引っ掛けし得る引っ掛け部３を設け、この引っ掛け部３で墨糸２を引っ掛けて上方へ引っ張った後、墨糸２を引っ掛け部３より掛脱することで墨付け面20に墨線を付線し得るように構成したことを特徴とする墨糸引き弾き具に係るものである。
【０００９】
また、前記引っ掛け部３は、墨糸挿入用の開放部４を形成してこの開放部４から前記墨糸２を挿入して引っ掛けし得るように構成し、この引っ掛け部３に引っ掛けた墨糸２を前記握持部１の操作により掛脱し得るように構成したことを特徴とする請求項１記載の墨糸引き弾き具に係るものである。
【００１０】
また、前記引っ掛け部３は、側方に墨糸挿入用の開放部４を形成して、この開放部４に側方から前記墨糸２を挿入して引っ掛けし得るように構成し、この引っ掛け部３に引っ掛けた墨糸２は、前記握持部１の傾動操作により引っ掛け部３を回動して前記開放部４を下方に向けることで掛脱し得るように構成したことを特徴とする請求項１，２のいずれか１項に記載の墨糸引き弾き具に係るものである。
【００１１】
また、前記引っ掛け部３は、側方に墨糸挿入用の開放部４を有するＣ状若しくはＵ状に構成したことを特徴とする請求項１〜３のいずれか１項に記載の墨糸引き弾き具に係るものである。
【００１２】
また、前記請求項１〜４のいずれか１項に記載の墨糸引き弾き具５を着脱自在に設けたことを特徴とする墨壷に係るものである。
【００１３】
前記墨糸引き弾き具５は薄板状に形成し、この薄板状の墨糸引き弾き具５を墨壷本体９ａに形成した固定用凹部10に着脱自在に収納固定し得るように構成したことを特徴とする請求項５記載の墨壷に係るものである。
【発明の効果】
【００１４】
本発明は上述のように構成したから、墨で指先を汚す事なく、良好な墨付け作業が行える画期的な墨糸引き弾き具となる。
【００１５】
また、請求項２記載の発明によれば、引っ掛け部に対する墨糸の引っ掛け及び掛脱が簡易且つ迅速に行える墨糸引き弾き具となる。
【００１６】
また、請求項３記載の発明によれば、引っ掛け部に引っ掛けた墨糸が外れたりせずに確実に強く引っ張り上げることができ、しかも、引っ張り上げた墨糸を弾こうとする際には墨糸の掛脱が簡易に行える墨糸引き弾き具となる。
【００１７】
また、請求項４記載の発明によれば、墨糸の引っ掛け操作を滑らかに行うことができ、引っ掛け操作により墨付け面を痛めてしまうことがない墨糸引き弾き具となる。
【００１８】
また、請求項５記載の発明によれば、いつでも必要なときに墨糸引き弾き具を使用した良好な墨付けが行えることになり、しかも、この極めて有用な墨糸引き弾き具を紛失したりすることがなく、持ち運びに便利な墨壷となる。
【００１９】
また、請求項６記載の発明によれば、墨壷を持った際に違和感を感じたりすることがなく、体裁が良い墨壷となる。
【発明を実施するための最良の形態】
【００２０】
好適と考える本発明の最良の形態（発明をどのように実施するのが最良か）を、図面に基づいて本発明の作用効果を示して簡単に説明する。
【００２１】
墨付け面20への墨付け作業に際し、例えば、握持部１を持ち、引っ掛け部３で墨糸２を引っ掛けて引っ張り上げた後、墨糸２を引っ掛け部３より掛脱すると、引っ張り上げられて緊張状態となった墨糸２が、掛脱の際の反動により弾かれることになり、墨付け面20に墨線が付線されることになる。
【００２２】
従って、従来と異なり、墨糸２を指先でつままなくても墨付け面20に墨線を付線することができるから、墨で指先が汚れる事がなくなり、しかも、指先で墨糸２を引っ張り上げたりするのではなく、専用の器具を用いることにより、墨糸２の引っ張り上げから弾くまでの一連の作業が作業者の思いどおりに行われることになり、良好な墨付けが可能となる。
【００２３】
即ち、従来のように指先で墨糸２を引っ張り上げようとすると、指先が墨で汚れるのは勿論、墨糸２を十分な高さに引っ張り上げる前に指先から墨糸２が滑り落ちたり、墨糸２から指を離してしまい、該墨糸２が十分な反動を得られないまま弾かれて墨付け面20に良好に墨付けが行われない場合があるが（これは、例えば現場にある棒切れや釘などを用いて行っても同様の結果となってしまう。）、この点、本発明は、確実に墨糸２を引っ掛けた状態を維持し得る引っ掛け部３を具備しており、この引っ掛け部３に引っ掛けた状態で該墨糸２を所望の高さまで確実に引っ張り上げることができることになるから、墨で指先を汚すことなく、墨糸２を確実に十分な反動を得られる高さまで引っ張り上げて弾くことができ、墨付け面20に良好に墨付けを行うことができる。
【００２４】
また、例えば、前記引っ掛け部３は、墨糸挿入用の開放部４を形成してこの開放部４から前記墨糸２を挿入して引っ掛けし得るように構成し、この引っ掛け部３に引っ掛けた墨糸２を前記握持部１の操作により掛脱し得るように構成した場合、引っ掛け部３に対する墨糸２の引っ掛け及び掛脱が簡易且つ迅速に行えることになる。
【００２５】
即ち、例えば、引っ掛け部３に墨糸２を引っ掛けたり掛脱する度に、例えば開閉体を開閉させなければならないといった特別な操作が必要となるような構造ではなく、単に墨糸２を通過させるだけで引っ掛け部３に墨糸２を引っ掛け及び掛脱できる開放部４を設けた構造であるから（張設される墨糸２を引っ張り上げる構造上、引っ掛け部３は開放していても不意に掛脱する心配はない。）、何ら複雑な操作を必要とせず、握持部１の簡単な操作で素早く墨糸２を引っ掛け部３に引っ掛けたり、引っ掛け部３から掛脱させることができる。
【００２６】
また、例えば、前記引っ掛け部３は、側方に墨糸挿入用の開放部４を形成して、この開放部４に側方から前記墨糸２を挿入して引っ掛けし得るように構成し、この引っ掛け部３に引っ掛けた墨糸２は、前記握持部１の傾動操作により引っ掛け部３を回動して前記開放部４を下方に向けることで掛脱し得るように構成した場合、引っ掛け部３に引っ掛けた墨糸２が外れたりせずに確実に強く引っ張り上げることができ、しかも引っ張り上げた墨糸２を弾こうとする際には墨糸２の掛脱が簡易に行えることとなる。
【００２７】
即ち、仮に開放部４が上方を向くフックのような構造を採用した場合、墨糸２を引っ掛け部３に引っ掛けて上方へ引っ張り上げた際には、墨糸２が引っ掛け部３から外れたりせず、確実に強く引っ張り上げることができることになるが、その反面、墨糸２を引っ掛け部３から掛脱させようとする際には、開放部４を下方に向けるためには引っ掛け部３をほぼ180度回動させなければならないことになる等、墨糸２の掛脱が非常に困難となってしまう（これは、作業の迅速さと正確さが要求されるこの種の作業には致命的である。）。
【００２８】
そこで、本発明のように開放部４を引っ掛け部３の側方に設けることで、墨糸２を引っ掛け部３に引っ掛けて引っ張り上げる際には、確実に引っ掛けた状態を維持することができ、しかも、引っ張り上げた墨糸２を引っ掛け部３から掛脱させる際は、握持部１を傾動操作して引っ掛け部３を回動（ほぼ90度の回動）して開放部４を下方に向けるだけで墨糸２の掛脱が簡易に行われることになる。
【００２９】
また、例えば、前記引っ掛け部３を、側方に墨糸挿入用の開放部４を有するＣ状若しくはＵ状に構成した場合、墨糸２の引っ掛け操作を滑らかに行うことができ、しかも、墨糸２に引っ掛け部３を引っ掛けようとする際、この引っ掛け操作により墨付け面20を痛めてしまうことがない。
【００３０】
即ち、仮に前記引っ掛け部３の外周面が角形であった場合、墨糸２を引っ掛け部３に引っ掛ける操作の際、この引っ掛け部３の角が墨付け面20に当たって引っ掛け作業が滑らかに行えなかったり、墨付け面20を痛めてしまう場合が危惧されるが、この点、本発明は、引っ掛け部３をＣ状若しくはＵ状とすることで、墨付け面20への当接は面での当接になるため、墨糸２の引っ掛け操作を円滑に行うことができ、しかも、引っ掛け操作により墨付け面20を痛めてしまうようなことはない。
【００３１】
また、例えば、前述した墨糸引き弾き具５を墨壷に着脱自在に設けた場合、前記墨糸引き弾き具５を墨壷に装着しておくことで、いつでも必要なときに墨糸引き弾き具５を使用した良好な墨付けが行えることになり、しかも、墨糸引き弾き具５を収納する専用のケースなどを別途用意する必要がないから、該墨糸引き弾き具５を紛失するといったことがなく、別々に持ち運ぶ必要がないので、持ち運びに便利となる。
【００３２】
また、例えば、前記墨糸引き弾き具５を薄板状に形成し、この薄板状の墨糸引き弾き具５を墨壷本体９ａに形成した固定用凹部10に着脱自在に収納固定し得るように構成した場合、墨糸引き弾き具５は薄板状故に固定用凹部10に収納した場合には墨壷に余計な凹凸が生じることなく非常に収まりが良いため、墨壷を持った際に違和感を感じたりすることはなく、しかも、体裁も良い。
【実施例】
【００３３】
本発明の具体的な実施例について図面に基づいて説明する。
【００３４】
本実施例は、大工や石工等が材木や石材に墨線を引くために使用する墨壷９を設けるとともに、この墨壷９を使用して、墨付け作業を行う際、墨糸２を引き弾きするための墨糸引き弾き具５を設けている。
【００３５】
以下に墨壷９について具体的に説明する。
【００３６】
墨壷９は、図２に図示したように、ケース状の墨壷本体９ａの上部に糸巻きドラム16の格納部17を設け、この格納部17に自動巻き取り用のゼンマイバネ（図示省略）を内装した糸巻きドラム16を収納し、この糸巻きドラム16の外周に墨糸２を巻回し、この墨糸２を墨壷本体９ａの下部内部に設けた墨入れ部（図示省略）を経由して下端より外部に引き出し、墨糸２の先端にカルコ19を付設した自動巻き取り式のものである。
【００３７】
また、墨壷本体９ａは、その下端部に墨糸押え部15が設けられている。
【００３８】
具体的には、この墨糸押え部15は、墨壷本体９ａの表面下方位置に設けた取り付け溝部18にスライド移動するスライド体15ａを設け、このスライド体15ａの先端中央位置に墨糸２を係止し得る墨糸係止凹部15ｂを設けて構成されており、スライド移動させることで、墨壷本体９ａの下端から突没自在に設けられている。
【００３９】
また、墨壷本体９ａには、墨糸引き弾き具５を固定収納するための固定用凹部10が設けられている。
【００４０】
この固定用凹部10は、図４に図示したように、墨壷本体９ａの一側面部に凹条11を設けて構成されており、その一端部には墨壷本体９ａの下端に開口して墨糸引き弾き具５を挿入する挿入部13が設けられ、その凹部側面には墨糸引き弾き具５に設けられる凸条６のガイドとなるガイド凹溝12が設けられている。
【００４１】
従って、挿入部13から挿入した墨糸引き弾き具５を、該墨糸引き弾き具５に設けた凸条６をガイド凹溝12にスライドさせることで、固定用凹部10に墨糸引き弾き具５を収納することができる。
【００４２】
また、固定用凹部10は、墨糸引き弾き具５を収納した際、該墨糸引き弾き具５が墨壷本体の表面とほぼ面一となるよう、その深さは墨糸引き弾き具５の厚みを考慮して設定されている。
【００４３】
また、固定用凹部10は、その凹部底面基端位置に突起14が設けられている。
【００４４】
この突起14は、図９に図示したように、固定用凹部10に墨糸引き弾き具５を挿入した際、墨糸引き弾き具５の先端に設けられる引っ掛け部３が係止するように設けられており、墨糸引き弾き具５の抜け止めとして機能するように構成されている。
【００４５】
次に墨糸引き弾き具５について具体的に説明する。
【００４６】
墨糸引き弾き具５は、図１に図示したように、適宜な合成樹脂製の部材を所定長さを有する薄板棒状に一体成形したものであり、その先端部にはＣ状若しくはＵ状の引っ掛け部３が設けられている。
【００４７】
この引っ掛け部３は、墨糸引き弾き具５の先端部に貫通孔を形成して構成されており、更に、墨糸引き弾き具５の先端部にして墨糸引き弾き具５の左右両側部には、前記引っ掛け部３に連通する切欠部を設けて開放部４が設けられている。
【００４８】
従って、握持部１を握持し、この開放部４から墨糸２を通すことで、引っ掛け部３に墨糸２を引っ掛けることができる。
【００４９】
また、墨糸引き弾き具５は、その左右両側部に凸条６が設けられており、この凸条６は、前述した墨壷本体９ａに係る固定用凹部10に設けたガイド凹溝12内をスライド移動しうるように構成されている。
【００５０】
また、図中符号７は墨糸引き弾き具５を引き出し易くするための棒や紐等を貫挿させる貫挿孔、図中符号８は握持部１の滑り止め凹部である。
【００５１】
以上の構成からなる墨壷９及び墨糸引き弾き具５を使用した墨付け方法について説明する。
【００５２】
まず、図５に図示したように、カルコ19を墨付け面20に固定し、墨糸２が引き出されるように墨壷本体９ａを移動させる。
【００５３】
続いて、墨糸引き弾き具５の握持部１を握持し、墨壷９から引き出して緊張させた墨糸２を開放部４に通し、図６に図示したように、通した墨糸２を引っ掛け部３に引っ掛け、墨糸２が十分な反動を得られる高さまで引っ張り上げる。
【００５４】
そして、図７に図示したように、握持部１の傾動操作により引っ掛け部３を約９０度回動させて開放部４を下方に向け、引っ掛け部３から墨糸２を掛脱させると、引っ掛け部３より掛脱された墨糸２は、緊張状態で上方に引っ張り上げられて弾かれたため、この際の反動により墨付け面20に打ち付けられることで、該墨付け面20には墨線が付線される。
【００５５】
本実施例は上述のように構成したから、引っ掛け部３に引っ掛けた状態で墨糸２を所望の高さまで確実に引っ張り上げることができるため、墨で指先を汚すことなく、墨糸２を確実に十分な反動を得られる高さまで引っ張り上げて弾くことができ、墨付け面20に良好に墨付けを行うことができる。
【００５６】
また、本実施例は、前述した秀れた機能を発揮する有用な墨糸引き弾き具５が何ら複雑な構造ではなく、単に薄板棒状体の先端部に、側方に開放部４を有するＣ状若しくはＵ状の引っ掛け部３を設けただけの構造であるから、簡易構造故にコスト安にして量産性にも秀れることになり、ひいては、墨壷９に着脱する付属品としても墨壷９自体のコストに影響を与えてしまう心配はなく、むしろ、墨壷９に画期的な機能を付与し得るものとして、その商品価値の向上に一役買うものと期待できる。
【００５７】
また、本実施例は、引っ掛け部３を長尺の握持部１の先端部に設け、引っ掛け部３と握持部１との距離をある程度離した構成としているため、前記引っ掛け部３に墨糸２を引っ掛ける際に指先が汚れることがなく、引っ掛け部３から墨糸２を掛脱させる際にも指先が汚れることがない。
【００５８】
即ち、仮に握持部１を握持した指先と引っ掛け部３とが近接するような構造であった場合、墨糸２を引っ掛ける際に指先が墨糸２と触れて汚れたり、墨糸２を弾いた際の墨の飛び散りにより指先が汚れたりする場合が懸念されるが、本実施例のように握持部１と引っ掛け部３とに距離を設けることで、指先が墨糸２に触れたり、飛び散った墨が指先に付着することがなくなり、指先が汚れることがない等、この点によっても墨で指先が汚れることが回避されることになる。
【００５９】
また、本実施例は、挿入部13から墨糸引き弾き具５を挿入する際、固定用凹部10に設けたガイド凹溝12が凸条６のスライドの際のガイドと成り得るので、墨糸引き弾き具５を固定用凹部10にズレなく収納固定できることとなる。
【００６０】
また、本実施例は、墨糸引き弾き具５の握持部１に滑り止め凹部８を形成し、該滑り止め凹部８の滑り止め作用により指先が滑りにくくなるため、墨糸２を引っ張り上げる操作を確実に行うことができ、さらに墨糸引き弾き具５の固定用凹部10への着脱操作も円滑に行うことができる。
【００６１】
尚、本発明は、本実施例に限られるものではなく、各構成要件の具体的構成は適宜設計し得るものである。
【図面の簡単な説明】
【００６２】
【図１】本実施例の墨糸引き弾き具５の説明斜視図である。
【図２】本実施例の説明斜視図である。
【図３】本実施例の説明背面図である。
【図４】本実施例の説明分解図である。
【図５】本実施例の使用状態の説明図である。
【図６】本実施例の使用状態の要部の説明断面図である。
【図７】本実施例の使用状態の要部の説明断面図である。
【図８】本実施例の要部の説明断面図である。
【図９】本実施例の要部の説明断面図である。
【符号の説明】
【００６３】
１  握持部
２  墨糸
３  引っ掛け部
４  開放部
５  墨糸引き弾き部
９ａ  墨壷本体
10  固定用凹部
20  墨付け面
【図１】
2005088101.tif 000003
【図２】
2005088101.tif 000004
【図３】
2005088101.tif 000005
【図４】
2005088101.tif 000006
【図５】
2005088101.tif 000007
【図６】
2005088101.tif 000008
【図７】
2005088101.tif 000009
【図８】
2005088101.tif 000010
【図９】
2005088101.tif 000011